【手続補正書】
【提出日】平成24年11月19日(2012.11.19)
【手続補正１】
【補正対象書類名】特許請求の範囲
【補正対象項目名】全文
【補正方法】変更
【補正の内容】
【特許請求の範囲】
【請求項１】
無線多重入力多重出力通信システムのための装置であって、
操縦モードと非操縦モードとを含む複数の空間多重化モードの中から空間多重化モードを選択するように動作可能なモードセレクタと、ここで、前記複数の空間多重化モードは、前記装置によって支援され、前記複数の空間多重化モードの各々は、多重入力多重出力チャネルの複数の空間チャネルを介した複数のデータシンボルストリームの同時伝送を支援する、
第１の複数のデータシンボルストリームを、前記選択された空間多重化モードにしたがって空間的に処理し、複数のアンテナから第１の通信リンクを介して送信するための複数の送信シンボルストリームを得るための送信処理手段と、ここで、前記操縦モードでは、前記第１の複数のデータシンボルストリームが、前記空間チャネルを直交させる操縦ベクトルの行列を用いて空間的に処理され、前記非操縦モードでは、前記第１の複数のデータシンボルストリームが、恒等行列を用いて空間的に処理される、
複数のアンテナから得られた複数の受信シンボルストリームを、前記選択された空間多重化モードにしたがって処理し、複数の復元されたデータシンボルストリームを得るための受信処理手段と、ここで、前記複数の復元されたデータシンボルストリームは、第２の通信リンクを介して送られた第２の複数のデータシンボルストリームの推定値であり、前記モードセレクタは、前記第２の通信リンクのチャネル応答が前記第１の通信リンクのチャネル応答の相反である場合、前記操縦モードを選択し、前記第２の通信リンクのチャネル応答が前記第１の通信リンクのチャネル応答の相反でない場合、前記非操縦モードを選択するように動作可能である、
を含む装置。
【請求項２】
前記操縦モードは、前記多重入力多重出力チャネルの複数の直交空間チャネルを介した複数のデータシンボルストリームの同時伝送を支援し、前記非操縦モードは、前記複数のアンテナからの複数のデータシンボルストリームの同時伝送を支援する、請求項１記載の装置。
【請求項３】
前記送信処理手段は、前記操縦モードでは操縦ベクトルの行列を用いて、前記非操縦モードでは恒等行列を用いて、前記第１の複数のデータシンボルストリームを多重化するように適合され、
前記受信処理手段は、前記操縦モードでは固有ベクトルの行列を用いて、前記非操縦モードでは空間フィルター行列を用いて、前記複数の受信シンボルストリームを多重化するように動作可能であるように適合される、請求項１記載の装置。
【請求項４】
前記第２の通信リンクのチャネル応答を推定するように動作可能なチャネル推定器と、
前記第２の通信リンクの前記推定チャネル応答に基づいて、前記空間フィルター行列を求めるように動作可能な制御装置と
をさらに含む請求項３記載の装置。
【請求項５】
前記制御装置は、チャネル相関行列反転技術または最小平均平方誤差技術に基づいて、前記空間フィルター行列を求めるように動作可能である、請求項４記載の装置。
【請求項６】
前記制御装置は、逐次干渉消去技術に基づいて、チャネル相関行列反転技術または最小平均平方誤差技術を使用して、前記空間フィルター行列を求めるように動作可能である、請求項４記載の装置。
【請求項７】
第１の複数のデータストリームを第１の複数のレートにしたがって符号化し、変調して、前記第１の通信リンクのための前記第１の複数のデータシンボルストリームを得るように動作可能である送信データプロセッサと、
前記複数の復元されたデータシンボルストリームを第２の複数のレートにしたがって復調し、復号し、前記第２の通信リンクのための複数の復号されたデータストリームを得るように動作可能である受信データプロセッサと
をさらに含む請求項１記載の装置。
【請求項８】
前記第１の複数のレートは、前記操縦モードでは前記多重入力多重出力チャネルの複数の固有モードのレートであり、前記非操縦モードでは前記複数のアンテナのレートである、請求項７記載の装置。
【請求項９】
前記モードセレクタは、伝送データ量、チャネル状態、前記装置と通信しているエンティティの能力、またはその組み合わせに基づいて、前記操縦モードまたは前記非操縦モードを選択するように動作可能である、請求項１記載の装置。
【請求項１０】
前記モードセレクタは、データセッションの第１の部分において前記非操縦モードを選択し、前記データセッションの残りの部分において前記操縦モードを選択するように動作可能である、請求項１記載の装置。
【請求項１１】
前記モードセレクタは、受信信号対雑音および干渉比に基づいて、前記操縦モードまたは前記非操縦モードを選択するように動作可能である、請求項２記載の装置。
【請求項１２】
前記送信処理手段はさらに、前記操縦モードでは操縦パイロット、前記非操縦モードでは非操縦パイロットを多重化するように動作可能であり、前記操縦パイロットは、前記多重入力多重出力チャネルの固有モードで送信され、前記非操縦パイロットは、前記複数のアンテナからの複数の直交パイロット送信を含む、請求項１記載の装置。
【請求項１３】
前記送信処理手段はさらに、前記操縦モードおよび前記非操縦モードの両者において非操縦パイロットを多重化するように動作可能であり、前記非操縦パイロットは、前記複数のアンテナからの複数の直交パイロット送信を含む、請求項１記載の装置。
【請求項１４】
前記多重入力多重出力システムにおけるアクセスポイントと通信するように動作可能である請求項１記載の装置。
【請求項１５】
前記多重入力多重出力システムにおける他の端末とピア・トゥ・ピアで通信するように動作可能である請求項１記載の装置。
【請求項１６】
前記多重入力多重出力システムは、直交周波数分割多重化を使用し、前記送信および受信空間プロセッサは、複数のサブバンドの各々に空間処理を行うように動作可能である、請求項１記載の装置。
【請求項１７】
前記多重入力多重出力システムは、時分割デュプレックスシステムである、請求項１記載の装置。
【請求項１８】
前記複数のアンテナから前記第１の通信リンクを介して前記複数の送信シンボルストリームを送信するための手段と、
第２の通信リンクのための前記複数のアンテナから受信された複数のシンボルストリームを受信するための手段と
をさらに備える請求項１乃至１７のいずれか１項に記載の装置。
【請求項１９】
端末である請求項１乃至１８のいずれか１項に記載の装置。
【請求項２０】
アクセスポイントである請求項１乃至１３のいずれか１項に記載の装置。
【請求項２１】
無線多重入力多重出力通信システムのためのデータを処理する方法であって、
操縦モードと非操縦モードとを含む複数の空間多重化モードの中から空間多重化モードを選択することと、ここで、前記複数の空間多重化モードの各々は、多重入力多重出力チャネルの複数の空間チャネルを介した複数のデータシンボルストリームの同時伝送を支援する、
第１の複数のデータシンボルストリームを、前記選択された空間多重化モードにしたがって空間的に処理して、複数のアンテナから第１の通信リンクを介して送信する複数の送信シンボルストリームを得ることと、ここで、前記操縦モードでは、前記第１の複数のデータシンボルストリームが、前記空間チャネルを直交させる操縦ベクトルの行列を用いて空間的に処理され、前記非操縦モードでは、前記第１の複数のデータシンボルストリームが、恒等行列を用いて空間的に処理される、
前記複数のアンテナから得られた複数の受信シンボルストリームを、前記選択された空間多重化モードにしたがって空間的に処理して、複数の復元されたデータシンボルストリームを得ることと、ここで、前記複数の復元されたデータシンボルストリームは、第２の通信リンクを介して送られた第２の複数のデータシンボルストリームの推定値であり、前記第２の通信リンクのチャネル応答が前記第１の通信リンクのチャネル応答の相反である場合、前記操縦モードが選択され、前記第２の通信リンクのチャネル応答が前記第１の通信リンクのチャネル応答の相反でない場合、前記非操縦モードが選択される、
を含む方法。
【請求項２２】
前記操縦モードは、前記多重入力多重出力チャネルの複数の直交空間チャネルを介した複数のデータシンボルストリームの同時伝送を支援し、前記非操縦モードは、前記複数のアンテナからの複数のデータシンボルストリームの同時伝送を支援する、請求項２１記載の方法。
【請求項２３】
前記複数の受信シンボルストリームは、前記操縦モードでは固有ベクトルの行列を用いて、前記非操縦モードでは空間フィルター行列を用いて多重化される、請求項２２記載の方法。
【請求項２４】
前記第２の通信リンクのチャネル応答を推定することと、
前記第２の通信リンクの前記推定チャネル応答に基づいて、前記空間フィルター行列を求めることと
をさらに含む請求項２３記載の方法。
【請求項２５】
前記空間フィルター行列は、チャネル相関行列反転技術、最小平均平方誤差技術、または逐次干渉消去技術に基づいて求められる、請求項２４記載の方法。